(57)【要約】【課題】１台のろ過装置で複数の槽を循環ろ過する場合であっても、細菌の温床となりやすい電極式水位計や連通管を使用することなく、各槽の水位を制御しながら循環ろ過を行うことができる循環ろ過システムを提供する。【解決手段】１台のろ過装置と、１台のろ過装置に接続された複数の槽と、複数の槽のそれぞれに設置された圧力式水位計と、前記圧力式水位計が検出した水位に応じて前記複数の槽への供給水量を調整する制御部とを備える循環ろ過システムに関する。【選択図】図１
2015104718.tif 000002
【特許請求の範囲】
【請求項１】
１台のろ過装置と、
前記１台のろ過装置に接続された複数の槽と、
前記複数の槽のそれぞれに設置された圧力式水位計と、
前記圧力式水位計が検出した水位に応じて前記複数の槽への供給水量を調整する制御部とを備える循環ろ過システム。
【請求項２】
前記制御部は、前記圧力式水位計が検出した水位が特定の水準以下である槽への供給水量を増加させ、前記圧力式水位計が検出した水位が特定の水準以上である槽への供給水量を減少させる請求項１記載の循環ろ過システム。
【請求項３】
前記ろ過装置でろ過された水を前記複数の槽に供給する経路に、前記複数の槽の各々に対応する複数の弁が設置され、
前記制御部が前記複数の弁を制御することにより、前記複数の槽への供給水量が調整される請求項１又は２記載の循環ろ過システム。
【請求項４】
前記ろ過装置でろ過された水を前記複数の槽に供給する経路は、前記ろ過装置側から、第一の分岐部と、第二の分岐部とをこの順に有し、
前記第一の分岐部は、前記複数の槽の各々と、前記第二の分岐部とに向かって分岐し、
前記第二の分岐部は、前記複数の槽の各々に向かって分岐するとともに、多方弁が設置され、
前記制御部が前記多方弁を制御することにより、前記ろ過装置が前記多方弁を介して前記複数の槽のいずれかと選択的に連通されることで、前記複数の槽への供給水量が調整される請求項１又は２記載の循環ろ過システム。
【発明の詳細な説明】
【技術分野】
【０００１】
本発明は、入浴施設などに好適な循環ろ過システムに関する。
【背景技術】
【０００２】
入浴施設において、１台のろ過装置で複数の浴槽を循環ろ過する場合、各浴槽の水位を一定に揃えるため、各浴槽間を連通管で接続するとともに、連通管又は各浴槽に電極式水位計を設置する方法が一般的である。この方法を適用した循環ろ過システムとして、例えば、特許文献１の図１には、２つの浴槽を連通管で接続するとともに、２つの浴槽のそれぞれに電極式水位計を設置した循環装置が開示されている。
【先行技術文献】
【特許文献】
【０００３】
【特許文献１】特開２００５−１３７６３０号公報
【発明の概要】
【発明が解決しようとする課題】
【０００４】
電極式水位計の設置には接続用の配管が必要となるが、接続用の配管は、水が滞留しやすく、細菌、特にレジオネラ属菌の温床になりやすいという点が問題視されている。また、連通管についても同様の問題が指摘されている。
【０００５】
本発明は、前記実情に鑑みてなされたものであり、１台のろ過装置で複数の槽を循環ろ過する場合であっても、細菌の温床となりやすい電極式水位計や連通管を使用することなく、各槽の水位を制御しながら循環ろ過を行うことができる循環ろ過システムを提供することを目的とする。
【課題を解決するための手段】
【０００６】
本発明は、１台のろ過装置と、前記１台のろ過装置に接続された複数の槽と、前記複数の槽のそれぞれに設置された圧力式水位計と、前記圧力式水位計が検出した水位に応じて前記複数の槽への供給水量を調整する制御部とを備える循環ろ過システムに関する。
【０００７】
圧力式水位計は、接続用の配管を使用せずに設置可能であるため、従来使用されていた電極式水位計を圧力式水位計に置き換えることで、接続用の配管を省略することができる。また、各槽に設置した圧力式水位計で水位を検出し、それに応じて制御部が各槽への供給水量を個別に調整することで、連通管を省略することができる。これらの作用により、１台のろ過装置で複数の槽を循環ろ過する場合であっても、細菌の温床となりやすい電極式水位計や連通管を使用することなく、各槽の水位を制御しながら循環ろ過を行うことができる。
【０００８】
前記制御部は、前記圧力式水位計が検出した水位が特定の水準以下である槽への供給水量を増加させ、前記圧力式水位計が検出した水位が特定の水準以上である槽への供給水量を減少させることが好ましい。これにより、各槽の水位をほぼ一定に揃えることができる。
【０００９】
前記ろ過装置でろ過された水を前記複数の槽に供給する経路に、前記複数の槽の各々に対応する複数の弁が設置され、前記制御部が前記複数の弁を制御することにより、前記複数の槽への供給水量が調整されてもよい。本形態によれば、配管レイアウトを簡略化することができる。
【００１０】
前記ろ過装置でろ過された水を前記複数の槽に供給する経路は、前記ろ過装置側から、第一の分岐部と、第二の分岐部とをこの順に有し、前記第一の分岐部は、前記複数の槽の各々と、前記第二の分岐部とに向かって分岐し、前記第二の分岐部は、前記複数の槽の各々に向かって分岐するとともに、多方弁が設置され、前記制御部が前記多方弁を制御することにより、前記ろ過装置が前記多方弁を介して前記複数の槽のいずれかと選択的に連通されることで、前記複数の槽への供給水量が調整されてもよい。本形態によれば、制御部が制御する弁の数が少なくなるため、制御部の配線設計を簡略化することができる。
【図面の簡単な説明】
【００１１】
【図１】本発明の循環ろ過システムを示す模式図である。
【図２】本発明の循環ろ過システムの変形例を示す模式図である。
【発明を実施するための形態】
【００１２】
以下、本実施形態の循環ろ過システムについて、図面を参照して説明する。
図１に示すように、循環ろ過システム１は、ろ過装置２と、浴槽３ａ、３ｂと、圧力式水位計４ａ、４ｂと、ポンプ５と、加熱装置６と、制御部７と、供給水量調整弁８ａ、８ｂとを備える。浴槽３ａ、３ｂは、湯を運ぶ配管を介してろ過装置２に接続されている。圧力式水位計４ａ、４ｂは、それぞれ浴槽３ａ、３ｂの内壁に設置されている。ポンプ５は、浴槽３ａ、３ｂから排出された湯（排湯）をろ過装置２に送り込む経路に設置されている。加熱装置６及び供給水量調整弁８ａ、８ｂは、ろ過装置２でろ過された湯（ろ過湯）を浴槽３ａ、３ｂに供給する経路（配管）に設置されている。制御部７は、圧力式水位計４ａ、４ｂ、ポンプ５、加熱装置６及び供給水量調整弁８ａ、８ｂに電気的に接続されており、これらの動作を制御する機能を有する。
【００１３】
以下、循環ろ過システム１によって行われる循環ろ過処理について説明する。
まず、ポンプ５によって浴槽３ａ、３ｂからの排湯がろ過装置２に送り込まれる。ろ過装置２内にはろ材が備えられており、このろ材によって排湯に含まれる汚れがろ過される。ろ材としては特に限定されないが、洗浄が容易であり、レジオネラ属菌などの細菌の繁殖を抑制できるという点から、砂、多孔質セラミックなどを用いることが好ましい。
【００１４】
排湯をより清浄にするため、循環ろ過システム１は、排湯中の毛髪などを除去するヘアキャッチャや、塩素系薬剤、電解次亜水、オゾン、光触媒、紫外線などで排湯中の菌を殺菌する殺菌装置を備えてもよい。これらは、ろ過装置２の一部としてろ過装置２内に設けてもよいし、ろ過装置２とは別に設けてもよい。
【００１５】
ろ過装置２から放出されたろ過湯は、必要に応じて加熱装置６で加熱した上で、浴槽３ａ、３ｂに向かって分岐する分岐部９を介して浴槽３ａ、３ｂに供給される。加熱装置６としては、ボイラー、ヒートポンプ、電気ヒーター、熱交換器などを使用できる。
【００１６】
浴槽３ａ、３ｂへのろ過湯の供給水量は、圧力式水位計４ａ、４ｂからの信号を制御部７が受信し、その信号に応じて制御部７が供給水量調整弁８ａ、８ｂを開閉（制御）することによって調整される。圧力式水位計４ａ、４ｂは、水中に設置した圧力センサに加わる圧力が水位の変化に応じて変化することを利用して水位を検出するものである。圧力式水位計４ａが検出した浴槽３ａの水位が特定の水準以下であれば、供給水量調整弁８ａを開方向に回す信号を制御部７に送って浴槽３ａへの供給水量を増加させ、圧力式水位計４ａが検出した浴槽３ａの水位が特定の水準以上であれば、供給水量調整弁８ａを閉方向に回す信号を制御部７に送って浴槽３ａへの供給水量を減少させる。同様に、浴槽３ｂへの供給水量は、圧力式水位計４ｂからの信号に基づいて制御部７が供給水量調整弁８ｂを開閉することで調整される。このように、浴槽３ａ、３ｂの水位に応じて浴槽３ａ、３ｂへの供給水量を個別に調整することで、浴槽３ａ、３ｂの水位をほぼ一定に揃えることができる。
【００１７】
上述の循環ろ過処理は、常時行ってもよいし、所定の間隔で定期的に行ってもよい。また、圧力式水位計４ａ、４ｂによる浴槽３ａ、３ｂの水位の検出についても、常時行ってもよいし、所定の間隔で定期的に行ってもよい。
【００１８】
図１で示した循環ろ過システム１では、分岐部９を介してろ過湯を浴槽３ａ、３ｂに供給しているが、本発明はこれに限定されず、加熱装置６からろ過湯を流出させる配管（加熱装置６を有しない場合は、ろ過装置２からろ過湯を流出させる配管）を浴槽３ａ、３ｂの数と同数にして、分岐部９を省略してもよい。
【００１９】
また、図１で示した循環ろ過システム１は、ろ過装置２でろ過された湯を浴槽３ａ、３ｂに供給する経路に、浴槽３ａ、３ｂの各々に対応する供給水量調整弁８ａ、８ｂが設置され、制御部７が供給水量調整弁８ａ、８ｂを制御することにより、浴槽３ａ、３ｂへの供給水量が調整されているが、本発明はこれに限定されず、供給水量調整弁８ａ、８ｂのような二方弁の代わりに、三方弁などの多方弁を使用して浴槽３ａ、３ｂへの供給水量を調整してもよい。
【００２０】
多方弁を使用した例を図２に示す。図２に示す例では、ろ過装置２でろ過された湯を浴槽３ａ、３ｂに供給する経路が、ろ過装置２側から、第一の分岐部９と、第二の分岐部１０とをこの順に有し、第一の分岐部９は、浴槽３ａ、３ｂの各々と、第二の分岐部１０とに向かって分岐し、第二の分岐部１０は、浴槽３ａ、３ｂの各々に向かって分岐するとともに、三方弁１１が設置され、制御部７が三方弁１１を制御することにより、ろ過装置２が三方弁１１を介して浴槽３ａ、３ｂのいずれかと選択的に連通されることで、浴槽３ａ、３ｂへの供給水量が調整される。これにより、制御部９の配線設計を簡略化することができる。
【００２１】
なお、多方弁の種類は特に限定されず、２つの槽への供給水量を調整する場合は図２のように三方弁を使用すればよく、３つの槽への供給水量を調整する場合は四方弁を、４つの槽への供給水量を調整する場合は五方弁を使用すればよい。また、多方弁の数についても特に限定されず、２つの三方弁で４つの槽への供給水量を調整するといったように、多方弁を複数併用してもよい。
【００２２】
ろ過装置２から放出されるろ過湯のみでは供給水量が十分でない場合に備えて、湯を供給する補給装置を浴槽３ａ、３ｂのそれぞれに設けてもよい。補給装置による浴槽３ａ、３ｂへの湯の供給は、圧力式水位計４ａ、４ｂからの信号を制御部７が受信し、その信号に応じて制御部７が補給装置の弁を開放することにより行う。具体的には、圧力式水位計４ａが検出した浴槽３ａの水位が特定の水準以下であれば、浴槽３ａに設けられた補給装置の弁を開放する信号を制御部７に送って浴槽３ａに湯を供給し、圧力式水位計４ａが検出した浴槽３ａの水位が特定の水準以上であれば、浴槽３ａに設けられた補給装置の弁を閉じる信号を制御部７に送って浴槽３ａへの湯の供給を停止する。浴槽３ｂに設けられた補給装置による浴槽３ｂへの湯の供給も、圧力式水位計４ｂによって同様の方法で制御できる。
【００２３】
補給装置は、上述のように浴槽３ａ、３ｂのそれぞれに設けてもよいし、浴槽３ａ、３ｂに対して１台の補給装置を設けてもよい。浴槽３ａ、３ｂに対して１台の補給装置を設ける場合は、浴槽３ａ、３ｂのそれぞれに対応する弁を補給装置に設け、その弁を個別に制御することで、浴槽３ａ、３ｂに対する補給装置からの供給水量を個別に制御することができる。
【００２４】
以上、説明したように、循環ろ過システム１によれば、電極式水位計や連通管を使用することなく循環ろ過処理を行うことができるため、従来と比較して、清掃や殺菌に要するコストを大幅に削減することができる。
【００２５】
なお、本実施形態においては、本発明の循環ろ過システムを入浴施設に適用する場合について説明したが、これに限定されず、例えば、プール施設に適用することも可能である。また、槽の数についても限定されず、使用するろ過装置やポンプの能力に応じて適宜変更できる。
【符号の説明】
【００２６】
１：循環ろ過システム
２：ろ過装置
３ａ、３ｂ：浴槽
４ａ、４ｂ：圧力式水位計
５：ポンプ
６：加熱装置
７：制御部
８ａ、８ｂ：供給水量調整弁
９：分岐部（第一の分岐部）
１０：第二の分岐部
１１：三方弁
【図１】
2015104718.tif 000003
【図２】
2015104718.tif 000004